(57)【特許請求の範囲】
【請求項１】
給湯をするモータポンプと、前記モータポンプによる給湯または給湯停止の動作切換えをする給湯スイッチと、湯を沸かすヒータとを有した電気湯沸し器回路と、前記電気湯沸し器回路に接続されたロック回路とを備え、前記ロック回路は、前記給湯スイッチによる動作切換えを給湯停止に固定するロックスイッチと、前記ロックスイッチによる動作切換えの固定を解除するロック解除スイッチとを有するとともに、前記ロックスイッチと前記ロック解除スイッチとを直列に接続し、前記ロックスイッチと前記ロック解除スイッチとの接続点におけるスイッチ電圧と基準電圧回路における基準電圧とを比較して比較信号を電気湯沸し器回路に出力する比較器回路とを有しており、前記ロック解除スイッチと直列に充電記憶手段を備えた充電記憶回路を設けるとともに、前記ロックスイッチと並列に時限タイマー手段を備えた時限タイマー回路を設け、前記充電記憶回路を第１の抵抗と前記第１の抵抗に直列に接続したコンデンサとからなる回路とし、前記時限タイマー回路を前記コンデンサと前記コンデンサに並列に接続した第２の抵抗とからなる放電時定数回路とした電気湯沸し器用制御回路。
【請求項２】
基準電圧回路は２つの抵抗を直列に接続した回路とし、２つの抵抗の接続点における電圧を基準電圧とした請求項１記載の電気湯沸し器用制御回路。
【発明の詳細な説明】
【０００１】
【産業上の利用分野】
本発明は、電気湯沸し器用の制御回路に関するものである。
【０００２】
【従来の技術】
以下、従来の電気湯沸し器用制御回路について図面を参照しながら説明する。
【０００３】
図５は従来の電気湯沸し器の斜視図、図６は同電気湯沸し器のロック機構部の拡大図、図７は同電気湯沸し器の制御回路図である。
【０００４】
図５において、従来の電気湯沸し器は、電気湯沸し器本体４と、この電気湯沸し器本体４の内部の湯をエアーポンプによって給湯する給湯プレート１と、給湯した湯を注ぐ給湯口３と、給湯・給湯停止の動作切換えのロックをするロック保持部２とを備えている。ロック保持部２は、図６に示すように給湯・給湯停止の動作切換えを行うツマミ５を有している。
【０００５】
また、図７に示すように、電気湯沸し器の制御回路は、回路駆動用電源１７と、回路駆動用電源１７に接続された温度ヒューズ２７および湯を沸かす沸騰ヒータ２８および保温ヒータ１８と、沸騰ヒータ２８へ通電するヒータスイッチ１９と、沸騰ヒータ２８の温度によって沸騰ヒータ２８への通電を中止する自己保持回路１１と、回路駆動用電源１７に直列に接続されたダイオード２３および電圧ドロップ用抵抗２４と、並列に接続された平滑コンデンサ２６および定電圧ダイオード２５と、モータポンプ６による給湯・給湯停止の動作切換えをする給湯スイッチ７と、モータポンプ６に直列に接続されたダイオード１０および電圧ドロップ抵抗９と、並列に接続された平滑コンデンサ１６および定電圧ダイオード８とを備えている。また、自己保持回路１１は、リレー２０と感温フェライトを利用したサーマルリレー２１と接点２２とを直列に接続した直列回路である。
【０００６】
上記構成によると、給湯スイッチ７を閉じれば、モータポンプ６を駆動させ、給湯をすることができる。また、ヒータスイッチ１９を閉じると、自己保持回路１１が働き、接点２２が閉じ沸騰ヒータ２８が通電されて湯が沸かされる。そして、湯が沸くとその温度を検出して、サーマルリレーが開き、リレー２０によって接点２２が開く。その後は、保温ヒータ１８によって湯が保温される。
【０００７】
【発明が解決しようとする課題】
上記構成では、電気湯沸し器の制御回路内にロック回路がなく、ロック保持部２が機構的なので、使用者が給湯・給湯停止の動作切換えをする際、常に、手動で、ツマミ５を動かす必要があり、給湯する以外の時は、動作切換えを給湯停止に固定していないと給湯プレート１を誤って押した場合に湯が出てしまい、使い勝手が悪いという問題点を有していた。
【０００８】
本発明は上記問題点を解決するものであり、電気湯沸し器の制御回路内にロック回路を設け、動作切換えを給湯停止に固定し忘れても、給湯停止の動作切換えが自動的に行えるようにして、電気湯沸し器の使い勝手がよくなる電気湯沸し器用制御回路を提供することを目的としている。
【０００９】
【課題を解決するための手段】
上記目的を達成するために本発明は、給湯をするモータポンプと、前記モータポンプによる給湯または給湯停止の動作切換えをする給湯スイッチと、湯を沸かすヒータとを有した電気湯沸し器回路と、前記電気湯沸し器回路に接続されたロック回路とを備え、前記ロック回路は、前記給湯スイッチによる動作切換えを給湯停止に固定するロックスイッチと、前記ロックスイッチによる動作切換えの固定を解除するロック解除スイッチとを有するとともに、前記ロックスイッチと前記ロック解除スイッチとを直列に接続し、前記ロックスイッチと前記ロック解除スイッチとの接続点におけるスイッチ電圧と基準電圧回路における基準電圧とを比較して比較信号を電気湯沸し器回路に出力する比較器回路とを有しており、前記ロック解除スイッチと直列に充電記憶手段を備えた充電記憶回路を設けるとともに、前記ロックスイッチと並列に時限タイマー手段を備えた時限タイマー回路を設け、前記充電記憶回路を第１の抵抗と前記第１の抵抗に直列に接続したコンデンサとからなる回路とし、前記時限タイマー回路を前記コンデンサと前記コンデンサに並列に接続した第２の抵抗とからなる放電時定数回路とした構成としたものである。
【００１０】
【作用】
上記構成により、給湯をした後、給湯停止の動作切換えを忘れたとしても、充電記憶回路および時限タイマー回路および比較器回路によって、スイッチ電圧と基準電圧の電圧の違いを比較し、一定時間経過後に、その電圧の違いにより自動的に動作切換えを給湯停止にすることができる。
【００１１】
【実施例】
以下、本発明の一実施例の電気湯沸し器について図面を参照しながら説明する。
【００１２】
図１は本実施例における電気湯沸し器の制御回路図、図２は同電気湯沸し器のロック回路のブロック図、図３はタイミングチャート、図４は同電気湯沸し器の斜視図である。
【００１３】
本実施例における電気湯沸し器は、図４に示すように、電気湯沸し器本体４と、この電気湯沸し器本体４の内部の湯をエアーポンプによって給湯する給湯プレート１と、給湯した湯を注ぐ給湯口３と、給湯・給湯停止の動作切換えのロックをするロック保持部２とを備えている。
【００１４】
また、電気湯沸し器の制御回路は、図１に示すように、従来の電気湯沸し器の制御回路内にロック回路を付加したものであり、従来と同一部分については説明を省略する。
【００１５】
電気湯沸し器の制御回路は、電気湯沸し器回路４１と、この電気湯沸し器回路４１に接続したロック回路２９とを備えている。
【００１６】
ロック回路２９は、給湯スイッチ７の動作切換えを給湯停止に固定するロックスイッチ３０と、このロックスイッチ３０による動作切換えの固定を解除するロック解除スイッチ３１とを有するとともに、ロックスイッチ３０とロック解除スイッチ３１とを直列に接続し、ロックスイッチ３０とロック解除スイッチ３１との接続点におけるスイッチ電圧３２と、２つの直列した抵抗４２，４３からなる基準電圧回路３３の抵抗の接続点における基準電圧３４とを比較して、比較信号を電気湯沸し器回路４１に出力する比較器回路３５とを有している。
【００１７】
このとき、ロックスイッチ３０およびロック解除スイッチ３１は常開スイッチとしてある。
【００１８】
また、ロックスイッチ３０と直列に充電記憶手段を備えた充電記憶回路３６を設けるとともに、ロック解除スイッチ３１と並列に時限タイマー手段を備えた時限タイマー回路３７を設けている。
【００１９】
さらに、充電記憶回路３６を、第１の抵抗３８と、第１の抵抗３８に直列に接続したコンデンサ３９とからなる回路とし、時限タイマー回路３７を、コンデンサ３９と、コンデンサ３９に並列に接続した第２の抵抗４０とからなる放電時定数回路とし、比較器回路３５を、比較器４６と、この比較器４６に接続されたトランジスタ４４および抵抗４５とからなる回路とした構成としたものである。
【００２０】
また、充電記憶回路３６内の第１の抵抗３８、時限タイマー回路３７内の第２の抵抗４０、基準電圧回路３３内の抵抗４２、抵抗４３の抵抗の大きさは、ロック解除スイッチ３１を開き、ロックスイッチ３０を閉じているときに、スイッチ電圧３２の電圧が基準電圧３４の電圧よりも大きくなるように設定している。
【００２１】
さらに、その時の電気湯沸し器のロック回路のブロック図は図２に示すようになる。
【００２２】
上記構成の電気湯沸し器用制御回路について、以下その動作を説明する。
ロックスイッチ３０およびロック解除スイッチ３１は常開スイッチなので、ロックスイッチ３０およびロック解除スイッチ３１を共に開いている場合、ロックスイッチ３０を一度閉じて開いた場合、ロック解除スイッチ３１を一度閉じて開いた場合、ロックスイッチ３０およびロック解除スイッチ３１を一度共に閉じて開いた場合の４つについて説明する。
【００２３】
第１に、ロックスイッチ３０およびロック解除スイッチ３１を共に開いている場合について説明する。
【００２４】
ロックスイッチ３０およびロック解除スイッチ３１は共に開いているので、スイッチ電圧３２の電圧が基準電圧３４の電圧よりも小さくなる。このとき、比較器４６の出力は、ＯＮになるので、トランジスタ４４がＯＮ状態となり、給湯スイッチ７を閉じても、モータポンプ６を駆動させ給湯させることができない。
【００２５】
第２に、ロックスイッチ３０を一度閉じて開いた場合について説明する。
ロックスイッチ３０を閉じても開いても、スイッチ電圧３２の電圧は基準電圧３４よりも小さくなる。このとき、比較器４６の出力は、ＯＮになるので、トランジスタ４４がＯＮ状態となり、給湯スイッチ７を閉じても、モータポンプ６を駆動させ給湯させることができない。
【００２６】
第３に、ロック解除スイッチ３１を一度閉じて開いた場合について説明する。ロック解除スイッチ３１を閉じると、第１の抵抗３８を介して、コンデンサ３９が充電される。そして、ロック解除スイッチ３１を開くと、開いた時点では、コンデンサ３９は充電されているので、スイッチ電圧３２の電圧は基準電圧３４の電圧よりも大きい。しかし、時間が経過するにつれて、第２の抵抗４０を介して、コンデンサ３９の放電量が多くなり、ある一定時間を経過すれば、スイッチ電圧３２の電圧は基準電圧３４の電圧よりも小さくなる。このとき、比較器４６の出力は、ＯＮになるので、トランジスタ４４がＯＮ状態となり、給湯スイッチ７を閉じても、モータポンプ６を駆動させ給湯させることができない。
【００２７】
第４に、ロックスイッチ３０およびロック解除スイッチ３１を一度共に閉じて開いた場合について説明する。
【００２８】
ロック解除スイッチ３１を閉じると、第１の抵抗３８を介して、コンデンサ３９が充電される。しかし、ロックスイッチ３０も閉じるので、充電されたコンデンサ３９は、ロックスイッチ３０を介して放電される。そして、ロックスイッチ３０およびロック解除スイッチ３１を共に開くので、スイッチ電圧３２の電圧は基準電圧３４よりも小さくなる。このとき、比較器４６の出力は、ＯＮになるので、トランジスタ４４がＯＮ状態となり、給湯スイッチ７を閉じても、モータポンプ６を駆動させ給湯させることができない。
【００２９】
このように、モータポンプ６を駆動させることができるのは、第３の、ロック解除スイッチ３１を一度閉じて開いた場合だけである。しかも、モータポンプ６を駆動させる状態が一定時間経過すると、ロックスイッチ３０を閉じなくても、コンデンサ３９の充放電により、自動的にモータポンプ６の駆動ができない状態となる。
【００３０】
このときのステップは、図３に示すようになる。
ステップ１では、給湯スイッチ７がＯＮされてもモータポンプ６は駆動されず湯の吐出もない。
【００３１】
ステップ２では、ロック解除スイッチ３１をＯＮすると、コンデンサ３９が充電されＡ点に達すると、ステップ３において、比較器４６の出力がＯＮし、電圧制御出力がＯＦＦして、モータ駆動電圧を確保する。
【００３２】
つぎに、ロック解除スイッチ３１を離すとステップ４において、コンデンサ３９が放電し始め時限タイマー回路３７が作動する。
【００３３】
ステップ５では、給湯スイッチ７をＯＮすると、モータポンプ６が駆動し、湯を吐出させることができる。
【００３４】
つぎに、ステップ６では、コンデンサ３９の両端電圧がＡ点以上確保できている間は、給湯スイッチ７で任意に湯を吐出させることができる。
【００３５】
ステップ７では、コンデンサ３９の両端電圧がＢ点（Ａ点と同じレベル）以下になると時限タイマー回路３７はＯＦＦし電圧制御出力はＯＮとなりモータ駆動電圧はなくなる。
【００３６】
ステップ８では、ロック解除スイッチ３１を再度押して（ステップ２の動作と同じ）、その後ステップ５と同様にステップ９，１０を通過する。
【００３７】
ステップ１１では、コンデンサ３９の両端電圧がＡ点のレベル以下になる前に、ロックスイッチ３０を押して、時限タイマー回路３７の作動中に、強制的にコンデンサ３９を放電している。
【００３８】
そして、比較出力をＯＦＦにし、電圧制御出力をＯＮにすることにより、モータの駆動電圧を確保できないようにして、ロックしている。
【００３９】
このように本実施例では、電気湯沸し器の制御回路内に、コンデンサ３９の充放電を利用したロック回路２９を設けているので、動作切換えを給湯停止に固定し忘れても、給湯停止の動作切換えが自動的に行えるとともに、コスト削減を図ることができる。
【００４０】
また、基準電圧回路３３の抵抗の接続点における基準電圧３４は２つの抵抗４２，４３の大きさにより、自由に設定できるので、時限タイマー回路３７によるコンデンサ３９の放電時間も自由に調節できる。
【００４１】
【発明の効果】
以上のように本発明によれば、電気湯沸し器の制御回路内に、コンデンサの充放電を利用したロック回路を設けているので、動作切換えを給湯停止に固定し忘れても、給湯停止の動作切換えが自動的に行えるとともに、コスト削減を図ることができる。
【００４２】
また、基準電圧回路の抵抗の接続点における基準電圧は２つの抵抗の大きさにより、自由に設定できるので、時限タイマー回路によるコンデンサの放電時間も自由に調節でき、タイマー時間を任意に決めることもできる。
【図面の簡単な説明】
【図１】本実施例における電気湯沸し器の制御回路図
【図２】同電気湯沸し器のロック回路のブロック図
【図３】タイミングチャート
【図４】同電気湯沸し器の斜視図
【図５】従来の電気湯沸し器の斜視図
【図６】同電気湯沸し器のロック機構部の拡大図
【図７】同電気湯沸し器の制御回路図
【符号の説明】
２９  ロック回路
３０  ロックスイッチ
３１  ロック解除スイッチ
３２  スイッチ電圧
３３  基準電圧回路
３４  基準電圧
３５  比較器回路
３６  充電記憶回路
３７  時限タイマー回路
３８  第１の抵抗
３９  コンデンサ
４０  第２の抵抗
４１  電気湯沸し器回路
４２  抵抗
４３  抵抗
４４  トランジスタ
４５  抵抗
４６  比較器
【図１】
0003721591.tif 000002
【図２】
0003721591.tif 000003
【図３】
0003721591.tif 000004
【図４】
0003721591.tif 000005
【図５】
0003721591.tif 000006
【図６】
0003721591.tif 000007
【図７】
0003721591.tif 000008